(57)【要約】【課題】ユーザ独自の要望に基づいて詳細な記録媒体の管理ができる記録媒体再生装置及びそのための記録媒体を提供する。【解決手段】ディスク状の記録媒体のディスク面上に、記録媒体の回転中心を中心とする円周上に記録媒体を識別するための識別ドットを印刷しておく。一方、記録媒体再生装置において、この記録媒体に印刷された識別ドットを読み取る読取装置を備え、読み取った識別ドットとユーザにより入力された詳細な記録媒体管理情報をメモリに関連付けて記録する。【選択図】図１
2004055039.tif 000002
【特許請求の範囲】
【請求項１】
ディスク状の記録媒体のディスク面上に、該記録媒体の回転中心を中心とする円周上に前記記録媒体を識別するための識別情報が記録されてなることを特徴とする記録媒体。
【請求項２】
前記識別情報は、
前記記録媒体のディスク面上に、該記録媒体の回転中心を中心とする複数の円周上に記録されてなることを特徴とする請求項１記載の記録媒体。
【請求項３】
前記識別情報は、複数のドットで構成され、
前記記録媒体は前記識別情報を構成するドットの数と、前記記録媒体の円周上における前記ドット間の間隔に基づいて識別されることを特徴とする請求項１または請求項２記載の記録媒体。
【請求項４】
前記識別情報は、
前記記録媒体のラベル面側に記録されてなることを特徴とする請求項１〜請求項３記載の記録媒体。
【請求項５】
前記識別情報は、
前記記録媒体の情報読取面側の情報記録範囲を除いた部分に記録されてなることを特徴とする請求項１〜請求項３記載の記録媒体。
【請求項６】
前記ドットは、
照射光の照射に対して該照射光とは異なる波長の光を発光する蛍光物質を含むことを特徴とする請求項１〜請求項５のいずれかに記載の記録媒体。
【請求項７】
ディスク状の記録媒体に記録された記録情報を読み出して再生する記録媒体再生装置において、
前記記録媒体再生装置に装着された前記記録媒体に付された識別のためのドットからの光を受光して、前記識別情報を読み取る識別情報読取手段を備えたことを特徴とする記録媒体再生装置。
【請求項８】
前記識別情報は、前記記録媒体のラベル面側に記録されており、
前記識別情報読取手段は、
前記記録媒体のラベル面に光を照射して前記識別情報を読み取ることを特徴とする請求項７記載の記録媒体再生装置。
【請求項９】
前記識別情報は、前記記録媒体の情報記録面側に記録されており、
前記識別情報読取手段は、
前記記録媒体の情報記録面に光を照射して前記記録情報を読み出す光ピックアップであることを特徴とする請求項７記載の記録媒体再生装置。
【請求項１０】
前記識別情報と前記記録媒体の管理内容を示す記録媒体管理情報を関連付けて記録する管理情報記録手段を備えたことを特徴とする請求項７〜請求項９記載の記録媒体再生装置。
【請求項１１】
前記管理情報記録手段に記録された記録媒体管理情報を変更または削除する変更手段を備えたことを特徴とする請求項１０記載の記録媒体再生装置。
【請求項１２】
ディスク状の記録媒体に記録された記録情報を読み出して再生する記録媒体再生装置において、
前記記録媒体再生装置に装着された記録媒体のディスク面上に該記録媒体を識別するための識別情報を記録する識別情報記録手段を備えたことを特徴とする記録媒体再生装置。
【発明の詳細な説明】
【０００１】
【発明の属する技術分野】
本発明は光ディスク等の記録媒体と、その記録媒体から記録データを読取り、音楽や映像の再生や情報の表示等を行う記録媒体再生装置に関する。
【０００２】
【従来の技術】
ＣＤ−ＲＯＭ等の追記可能なディスク（記録媒体）を使用することにより、元のディスクＡと記録情報が同一のディスク（複製ディスク）Ｂを作成することが可能となった。また、ディスクの内容を管理するために、ディスク情報として記録されている情報に基づいてディスク名称（アルバム名）、曲名、アーティスト名等の管理を行っている。
【０００３】
【発明が解決しようとする課題】
従来のディスクの管理においては、ディスクに記録されたディスク情報のみからディスクの識別を行っている。そのため、元のディスクＡと複製ディスクＢは記録されている情報が全く同じために両者を区別して管理することができないと言う問題がある。
【０００４】
また、ユーザが独自でディスクの内容等を管理しようとしても、ディスクに予め記録されているディスク名称（アルバム名）、曲名、アーティスト名等の情報しかないので、ディスクと関連のある画像やアーティストの写真等も含めた充分な管理ができないと言う問題がある。
【０００５】
本発明は、記録媒体に記録された情報に基づいて記録媒体を管理するだけでなく、ユーザ独自の要望に基づいて詳細な記録媒体の管理ができる記録媒体再生装置及びそのための記録媒体を提供することを目的とする。
【０００６】
【課題を解決するための手段】
上記目的を達成するために本発明は、ディスク状の記録媒体のディスク面上に、該記録媒体の回転中心を中心とする円周上に前記記録媒体を識別するための識別情報が記録されてなることを特徴とするものである。
【０００７】
また、前記識別情報は、前記記録媒体のディスク面上に、該記録媒体の回転中心を中心とする複数の円周上に記録されてなることを特徴とするものである。
【０００８】
また、前記識別情報は、複数のドットで構成され、前記記録媒体は前記識別情報を構成するドットの数と、前記記録媒体の円周上における前記ドット間の間隔に基づいて識別されることを特徴とするものである。
【０００９】
また、前記識別情報は、前記記録媒体のラベル面側に記録されてなることを特徴とするものである。
【００１０】
また、前記識別情報は、前記記録媒体の情報読取面側の情報記録範囲を除いた部分に記録されてなることを特徴とするものである。
【００１１】
また、前記ドットは、照射光の照射に対して該照射光とは異なる波長の光を発光する蛍光物質を含むことを特徴とするものである。
【００１２】
また、ディスク状の記録媒体に記録された記録情報を読み出して再生する記録媒体再生装置において、前記記録媒体再生装置に装着された前記記録媒体に付された識別のためのドットからの光を受光して、前記識別情報を読み取る識別情報読取手段を備えたことを特徴とするものである。
【００１３】
また、前記識別情報は、前記記録媒体のラベル面側に記録されており、前記識別情報読取手段は、前記記録媒体のラベル面に光を照射して前記識別情報を読み取ることを特徴とするものである。
【００１４】
また、前記識別情報は、前記記録媒体の情報記録面側に記録されており、前記識別情報読取手段は、前記記録媒体の情報記録面に光を照射して前記記録情報を読み出す光ピックアップであることを特徴とするものである。
【００１５】
また、前記識別情報と前記記録媒体の管理内容を示す記録媒体管理情報を関連付けて記録する管理情報記録手段を備えたことを特徴とするものである。
【００１６】
また、前記管理情報記録手段に記録された記録媒体管理情報を変更または削除する変更手段を備えたことを特徴とするものである。
【００１７】
また、ディスク状の記録媒体に記録された記録情報を読み出して再生する記録媒体再生装置において、前記記録媒体再生装置に装着された記録媒体のディスク面上に該記録媒体を識別するための識別情報を記録する識別情報記録手段を備えたことを特徴とするものである。
【００１８】
【発明の実施の形態】
図１は本発明の一実施の形態に係る記録媒体の識別ドットの配置状態を説明するための図で、（ａ）はラベル面図、（ｂ）は側面図である。以下、図に従って説明する。尚、本実施の形態の記録媒体では、識別ドット（コード化された識別情報）２１は１つまたは複数のドット（２１ａ、２１ｂ、２１ｃ、２１ｄ）で構成され、ディスク２のラベル面２ｂ側に設けられているものとして説明する。
【００１９】
２は光ディスク（コンパクトディスク）等の円形のディスク（記録媒体）で、情報記録面２ａ（光ディスクに記録された情報を読み取る側の面）にはデジタル化された音楽情報等がピットの状態で、この面側から読み取り可能に記録され、ラベル面２ｂにはディスク２のアルバム名や曲名等を表す文字や絵が印刷されている。さらに、ラベル面２ｂの印刷面上にはディスク２を識別するための識別ドット２１が設けられている。識別ドット２１は識別情報（単なる追番でも良いし、数字・文字Ａ、Ｂ、５、または数字・文字列ＡＢ、Ｂ３等ディスク２を識別するために必要な最低限の情報）がコード化された複数のドット２１ａ、２１ｂ、２１ｃ、２１ｄで構成され、ディスク２の回転中心Ｏを中心とする半径ｒ１の円周上に、所定の間隔（円周上において）で配置（印刷）されている。この識別ドット２１の印刷材料はラベルの印刷材料とは異なる光反射特性を有しているのが望ましい。尚、識別情報は後述するようにディスク２の内容を示す詳細なディスク管理情報（記録媒体管理情報でディスク管理番号、ディスクの名称やアルバム名等の文字列、画像（アーチストの写真を含む）、オリジナルかコピーの別等の情報）と関連付けて記録媒体再生装置の記録部（管理情報記録手段）１４に記録されている。
【００２０】
図１（ａ）において、識別ドット２１（ドット２１ａ、２１ｂ、２１ｃ、２１ｄ）は１円周（半径ｒ１の円周）上に配置されているが、識別すべき情報量が多い場合には、さらに第１の円周と同心の第２、第３の円周（半径ｒ２、ｒ３の円周）上に分散して配置してもよい。尚、ら旋状に配置するのも可能である（ここでは、ら旋状も円周の一種として扱っている）。
【００２１】
識別ドット２１はラベル印刷面の円周上に所定のドット数と間隔（識別情報が１，０でコード化され、１がドット有り、０がドットなしの時には、０に対応する部分でドット間隔が広くなる）で配置されているので、バーコードに比較して目立たなくできる利点がある。
【００２２】
尚、識別ドット２１を半透明の蛍光物質（照射光波長λ０に対して発光波長λ２の光を出す蛍光インク）を使用したインクで印刷し、照射光として紫外線（波長λ０）を使用すると、肉眼ではラベル面２ｂ上の識別ドット２１が目立たなくなり印刷面に悪影響を与えない。また、照射光と蛍光の波長が異なるので、ラベル面２ｂからの反射光（波長λ０）は殆どなくなり、フィルタを使用して蛍光（波長λ２）のみを受光すれば識別ドット２１からの信号が明瞭になる。そして、識別ドットの形状は、本例では円形であるが、四角形等、他の形状でも可能である。
【００２３】
また、本実施の形態の記録媒体（ディスク２）では、識別ドット２１はディスク２のラベル面２ｂ側に設けられているものとして説明したが、これに限らず、識別ドット２１をディスク２の情報記録面２ａ側に設けてもよい。つまり、識別ドット２１を情報記録面２ａの情報記録領域（リードインエリア、プログラムエリア、リードアウトエリア）を除いた領域に設けるものである。このディスク２では、識別ドット２１の情報読取を後述する光ピックアップ１８を使用して読み取ることも可能になる。
【００２４】
図２は本発明の一実施の形態に係る記録媒体再生装置の構成を示すブロック図である。以下、図に従って説明する。
【００２５】
１１はディスク２のラベル面２ｂに印刷（記録）された識別ドット２１（コード化された識別情報でドット２１ａ、２１ｂ、２１ｃ、２１ｄから構成されている）に、光を照射して記録された識別情報を読み取る読取部（識別情報読取手段）で、記録媒体再生装置に装着され、例えば図１（ａ）において、矢印の方向に回転しているディスク２のラベル面２ｂに光を照射し、ドット２１ａ、２１ｂ、２１ｃ、２１ｄからの反射光を順次受光してドットの有無とその間隔を検出する。１２はメイン処理部１３からの指示によりディスク２のラベル面２ｂにディスク２を識別するための識別ドット２１を印刷（記録）する印刷部（識別情報記録手段）で、例えばインクリボン印刷手段やインクジェット印刷手段、熱転写印刷手段等がある。１３はディスク２からの識別ドット２１（読取信号）の読取を制御したり、ディスク２への識別ドット２１の印刷を制御するマイコン等からなるメイン処理部であり、また記録部１４において識別情報とディスク管理情報を関連付けて管理する。さらに、メイン処理部１３はディスク２の情報記録面２ａに記録された音楽情報等を光ピックアップ１８を使用して読み出す読出制御（読出信号処理及びフォーカス、トラッキング等のサーボ制御等）処理も行う。１４は識別情報（識別ドット２１と対応させてもよい）とディスク管理情報を関連付けて記録するためのＲＡＭ、磁気ディスク（ＨＤＤ）等の書換え可能な記録部（管理情報記録手段）である。１５は識別ドット２１の印刷または読取のための操作指示や記録部１４へのディスク管理情報の登録、書換（変更）、削除等を指示するための操作スイッチ、タッチスイッチ等からなる操作部である。１６はディスク２に印刷された識別ドット２１に関連付けられたディスク管理情報を文字、図形（画像・写真等も含む）で入力するためのキーボード等からなる入力部である。１７ａはディスク２から読み取った識別ドット２１を基に記録部１４に記録されているディスク管理情報を表示する液晶表示素子及びその駆動回路からなる表示部である。１７ｂは光ピックアップ１８によりディスク２の情報記録面２ａから読み出した音楽情報等を音声出力する音声回路及びスピーカからなる音声出力部である。１８はディスク２の情報記録面２ａにレーザ光を照射し、その反射光をフォトダイオードで受光して記録された音楽情報を読み出すための光ピックアップである。１９は光ピックアップ１８からの出力信号に基づいて光ピックアップ１８の位置及びフォーカスを調整するための駆動部である。
【００２６】
尚、本実施の形態の記録媒体及び記録媒体再生装置では、識別ドット２１をユーザ側で印刷するものとして説明したが、識別情報を追番や簡単な数字・文字列で構成すれば、予めディスクメーカにおいて、ディスク２の作成時にラベル印刷と同時に識別ドット２１を印刷しておいてもよい。また、パーソナルコンピュータ用のプリンタを用いて、ユーザが印刷することも可能である。このような識別ドット２１が印刷されたディスク２を使用すれば、記録媒体再生装置側に印刷部１２を備えなくても良い。
【００２７】
図３は本発明の一実施の形態に係る記録媒体再生装置の識別ドットの読取・印刷方法の説明図である。図４は本発明の一実施の形態に係る記録媒体の識別ドットからの読取信号図である。以下、図に従って説明する。
【００２８】
記録媒体再生装置に装着されたディスク２を等速度回転（等線速度または等角速度いずれでも可）させ、読取部１１の読み取りヘッドをディスク２の中心から所定距離（ｒ１）隔てた位置に移動させ、図３のごとくディスク２のラベル面２ｂに波長λ１の光（照射光３）を照射する。そして、識別ドット２１からの反射光４（波長λ１）を読取部１１内のフォトダイオード等で構成された受光部で受光する。照射光３は読み取るドット（２１ａ〜２１ｄ）よりも若干大きな範囲（隣接するドットに同時に当たらない範囲）を照射し、ドット（２１ａ〜２１ｄ）の分解能は受光部のレンズ系で決定する。
【００２９】
識別ドット２１（ドット２１ａ〜２１ｄ）は読取部１１から照射された照射光３に対してラベル印刷材料とは異なる光反射特性を有する材料で印刷されているので、複数のドット２１ａ〜２１ｄに対応する反射光４から図４のような読取信号が得られる。つまり、ディスク２が図１（ａ）の矢印方向に等線速度回転しているので、円周上のドット２１ａ〜２１ｄの隣接する距離Ｌ１、Ｌ２、Ｌ３に対応してｔ１、ｔ２、ｔ３の時間間隔でパルスが出力される。時間ｔ１をドット間の基準間隔（１ビットに対応する時間でも、距離でも可）とし、最初の信号（ドット２１ａからの信号）で識別ドット２１の開始（有無）を検出し、２つ目以降の信号で（ドット２１ｂ以降からの信号）コード化された識別情報を検出する。検出したパルス間隔をｔ２＝ｔ３＝２＊ｔ１とすれば、コード化された識別情報は１０１０１（例えば、２進の数字に対応させると２１番目のディスク）と判断される。
【００３０】
尚、反射光４を受ける受光素子（図示せず）には照射光３と同一の波長の光のみを透過させるフィルタを設けることによりラベル印刷面に起因するノイズを除去できる。この時ラベルの印刷材料（インク）には照射光３（波長λ１）と同一波長の反射光４を出す材料が含まれていない方が望ましい。また、識別ドット２１を半透明な蛍光物質（照射光波長λ０に対して発光波長λ２の光を出す蛍光インク）で印刷し、照射光として紫外線（波長λ０）を使用すると、肉眼では識別ドット２１が目立たなくなりラベル印刷面に悪影響を与えない。照射光３と反射光（蛍光）４の波長が異なるので、ラベル面２ｂからの反射光４（波長λ０）は殆どなく、さらに識別ドット２１からの蛍光（波長λ２）のみを透過するフィルタを受光部に設けることにより識別ドット２１からの信号が一層明瞭になる。
【００３１】
識別ドット２１がディスク２の情報記録面２ａ側に設けられている場合には、ディスク２から音楽情報を読み出す光ピックアップ１８を読取部１１と兼用にして、駆動部１９により光ピックアップ１８をリードインエリアの内側（ディスク２の中心側）、またはリードアウトエリアの外側（ディスク２の外周側）まで移動して、その位置に印刷されている識別ドット２１を読み取るようにすれば装置の小型化が図られる。
【００３２】
次に、ディスク２に識別ドット２１を印刷する場合について述べる。ユーザがキーボード等の入力部１６から識別情報（数字列、文字列等）すると、メイン処理部１３は対応するコードに変換し印刷部１２に出力する。印刷部１２は回転しているディスク２に対して変換されたコードに従ってインクリボン印刷手段やインクジェット印刷手段を駆動させ、ディスク２のラベル面２ｂにドット（２１ａ〜２１ｄ）を印刷する。
【００３３】
図５は本発明の一実施の形態に係る記録媒体再生装置の識別ドット読取処理のフローチャートである。尚、本処理はディスク２が記録媒体再生装置に装着され、「読取キー」（操作部１５）が操作された時点から開始する。以下、図に従って説明する。
【００３４】
ステップＳ１１では、識別ドット２１を読み取ってステップＳ１２に移る。つまり、記録媒体再生装置に装着されたディスク２を等速度回転（等線速度または等角速度いずれでも可）させ、読取部１１の読取ヘッド（図示せず）をディスク２の中心から所定距離（ｒ１）隔てた位置に移動させ、図３のごとくディスク２のラベル面２ｂに波長λ１の光（照射光３）を照射する。そして、識別ドット２１からの反射光４（波長λ１）を読取部１１内のフォトダイオード等で構成された受光部で受光する。尚、識別ドット２１が複数の円周（半径ｒ２、ｒ３）上に印刷されている場合には、第１の円周上の識別ドット２１を読み取った後、次の円周上に読取部１１（読取ヘッド）を移動させ、同様の処理を行う。尚、ディスク２の回転方向およびディスク２の回転速度は、光ピックアップ１８によりディスク２から音楽情報等の読み出す場合と同じにする必要はない。識別ドット２１を構成するドット数は少ないので、ゆっくり回転させても読み取りは短時間で終了する。
【００３５】
ステップＳ１２では、識別ドット２１が検出されたか否かを判断して識別ドット２１が検出されればステップＳ１３に移り、識別ドット２１が検出されなければ処理を終える。つまり、図３のごとくディスク２のラベル面２ｂにディスク２を識別するための識別ドット２１が印刷されているか否かを、読取部１１において識別ドット２１からの反射光４に基づいて判断する。識別ドット２１があれば図４のごとくコード化された識別情報に対応した読取信号が検出される。尚、識別ドット２１が検出されなければ処理を終える代わりに、自動的に図６の識別ドット印刷処理のフローチャートのステップＳ３３に移り、識別ドット２１を印刷し、続いて関連付けられたディスク管理情報を登録するようにしてもよい。
【００３６】
ステップＳ１３では、識別ドット２１に対応するディスク管理情報を記録部１４から読み出してステップＳ１４に移る。つまり、ディスク２から読み取った識別ドット２１（ドット列でもよいし、コード（ドット列）に対応する数字・文字列でもよい）と関連付けて記録されているディスク管理情報を記録部１４から読み出す。
【００３７】
ステップＳ１４では、ディスク管理情報があるか否かを判断してディスク管理情報があればステップＳ１５に移り、ディスク管理情報がなければステップＳ１９に移る。ディスク管理情報はユーザにより予め入力され、記録部１４に識別ドット２１と関連付けてディスク名称（アルバム名）、曲名、アーティスト名、ディスクと関連のある画像やアーティストの写真等が記録されている。
【００３８】
ステップＳ１５では、ディスク管理情報を表示してステップＳ１６に移る。つまり、受光した光のパターン（パルス数と間隔）から予め記録部１４に記録されている識別ドット２１と照合することによりディスク２を特定できる。読み取ったパルス列を基に記録部１４に記録されている識別ドット２と対応した文字列（または画像）を読み出して表示部１７ａに表示する。
【００３９】
ステップＳ１６では、ディスク管理情報を変更するか否かを判断してディスク管理情報を変更するならばステップＳ１７に移り、ディスク管理情報を変更しなければ処理を終える。この判断はユーザにより「変更キー」（操作部１５）が操作されたか否かに基づき行う。
【００４０】
ステップＳ１７では、変更すべきディスク管理情報が入力されたか否かを判断し、入力されればステップＳ１８に移り、入力がなければ待機する。この判断はユーザによるキーボード（入力部１６）からのディスク管理情報の入力状態と、「登録キー」（操作部１５）の操作状態に基づき行う。
【００４１】
ステップＳ１８では、識別ドット２１と対応するディスク管理情報を記録部１４に変更登録して処理を終える。つまり、識別ドット２１に対応して既に登録されているディスク管理情報を新規に入力（変更）されたディスク管理情報に変更（登録）する。
【００４２】
ステップＳ１９では、新規にディスク管理情報が入力されたか否かを判断し、入力されればステップＳ２０に移り、入力がなければ処理を終える。この判断はユーザによるキーボード（入力部１６）からにディスク管理情報の入力状態と、「登録キー」（操作部１５）の操作状態に基づき行う。
【００４３】
ステップＳ２０では、識別ドット２１と対応するディスク管理情報を記録部１４に新規登録して処理を終える。つまり、識別ドット２１と関連付けて新規に入力されたディスク管理情報を登録する。
【００４４】
図６は本発明の一実施の形態に係る記録媒体再生装置の識別ドット印刷処理のフローチャートである。尚、本処理はディスク２が記録媒体再生装置に装着され、「印刷キー」が操作された時点から開始する。以下、図に従って説明する。
【００４５】
ステップＳ３１では、識別ドット２１を読み取ってステップＳ３２に移る。つまり、記録媒体再生装置に装着されたディスク２を等速度回転（等線速度または等角速度いずれでも可）させ、読取部１１の読取ヘッド（図示せず）をディスク２の中心から所定距離（ｒ１）隔てた位置に移動させ、図３のごとくディスク２のラベル面２ｂに波長λ１の光（照射光３）を照射する。そして、識別ドット２１からの反射光４（波長λ１）を読取部１１内のフォトダイオード等で構成された受光部で受光する。
【００４６】
ステップＳ３２では、識別ドット２１が検出されたか否かを判断して識別ドット２１が検出されれば処理を終え、識別ドット２１が検出されなければステップＳ３３に移る。つまり、図３のごとくディスク２のラベル面２ｂにディスク２を識別するための識別ドット２１が印刷されているか否かを、読取部１１において識別ドット２１からの反射光４に基づいて判断する。識別ドット２１があれば図４のごとくコード化された識別情報に対応した読取信号が検出される。
【００４７】
ステップＳ３３では、ディスク２に識別ドット２１を印刷してステップＳ３４に移る。予めユーザにより入力されている識別情報をコード化し、印刷部１２に出力する。印刷ヘッドをディスク２の中心から所定距離（ｒ１）隔てた位置に移動させ、ラベル面２ｂのラベル印刷された上にインクリボンを使用して所定のドット数を所定の間隔で印刷する。または、インクジェットプリンタと同様に印刷ノズルからインクを射出する。尚、記録するディスク管理情報情報が多くて１つの円周上に多数のドットが印刷できない時は、同じ中心を有する複数の円周（第１の円周の外側または内側いずれでも可）上に印刷するようにしてもよい。
【００４８】
ステップＳ３４では、新規のディスク管理情報が入力されているか否かを判断して入力されておればステップＳ３５に移り、入力されていなければ待機する。この判断はユーザによるキーボード（入力部１６）からにディスク管理情報の入力状態と、「登録キー」（操作部１５）の操作状態に基づき行う。
【００４９】
ステップＳ３５では、識別ドット２１と対応するディスク管理情報を記録部１４に新規登録して処理を終える。つまり、識別ドット２１に対応してユーザにより新規に入力されたディスク管理情報に記録部１４に記録（登録）する。
【００５０】
以上のように本実施の形態では、ディスク２に印刷した識別ドット２１と関連付けられたディスク管理情報が記録部１４に記録されているので、識別ドット２１を基にディスク２を識別することが可能となる。また、一旦印刷された識別ドット２１を変更することなく、記録部１４に記録（登録）された対応するディスク管理情報のみを変更することによりディスク管理情報が簡単に変更できる。
【００５１】
【発明の効果】
以上説明したように、本発明では、記録媒体に記録された情報に基づいて記録媒体を管理するだけでなく、ユーザ独自の要望に基づいて詳細な記録媒体の管理ができる記録媒体再生装置及びそのための記録媒体を提供できる。
【図面の簡単な説明】
【図１】本発明の一実施の形態に係る記録媒体と識別ドットの配置状態の説明図である。
【図２】本発明の一実施の形態に係る記録媒体再生装置の構成を示すブロック図である。
【図３】本発明の一実施の形態に係る記録媒体再生装置の識別ドットの読取・印刷方法の説明図である。
【図４】本発明の一実施の形態に係る記録媒体の識別ドットからの読取信号図である。
【図５】本発明の一実施の形態に係る記録媒体再生装置の識別ドット読取処理のフローチャートである。
【図６】本発明の一実施の形態に係る記録媒体再生装置の識別ドット印刷処理のフローチャートである。
【符号の説明】
１１・・・・読取部、　　　　　　　　１９・・・・駆動部、
１２・・・・印刷部、　　　　　　　　２・・・・・ディスク、
１３・・・・メイン処理部、　　　　　２ａ・・・・情報記録面、
１４・・・・記録部、　　　　　　　　２ｂ・・・・ラベル面、
１５・・・・操作部、　　　　　　　　２１・・・・識別ドット、
１６・・・・入力部、　　　　　　　　２１ａ〜２１ｄ・・・ドット、
１７ａ・・・表示部、　　　　　　　　３・・・・・照射光、
１７ｂ・・・音声出力部、　　　　　　４・・・・・反射光、
１８・・・・光ピックアップ。
【図１】
2004055039.tif 000003
【図２】
2004055039.tif 000004
【図３】
2004055039.tif 000005
【図４】
2004055039.tif 000006
【図５】
2004055039.tif 000007
【図６】
2004055039.tif 000008